(57)【特許請求の範囲】
【請求項１】
柔軟性のあるシート状の電気部品が収容される収容部を有するソケット本体を備えた電気部品用ソケットであって、
前記ソケット本体の前記収容部に前記電気部品が収容された状態で当該電気部品の一部を上から押さえるガイドプレートと、
前記電気部品の残部を前記ガイドプレートの上面側に折り曲げた状態で保持する電気部品保持部材と、を有するとともに、
前記電気部品保持部材は、前記ソケット本体に対して回転自在に設けられたプッシャーを有し、
当該プッシャーを一方側へ回転させることにより、このプッシャーの上側に前記収容部がほぼ平面状に形成されるとともに、当該プッシャーを他方側へ回転させることにより、前記電気部品の残部が当該プッシャーによって前記ガイドプレートの上面側に折り曲げられて保持されるように構成されていることを特徴とする電気部品用ソケット。
【請求項２】
柔軟性のあるシート状の電気部品が収容される収容部を有するソケット本体を備えた電気部品用ソケットであって、
前記ソケット本体の前記収容部に前記電気部品が収容された状態で当該電気部品の一部を上から押さえるガイドプレートと、
前記電気部品の残部を前記ガイドプレートの上面側に折り曲げた状態で保持する電気部品保持部材と、を有するとともに、
前記ガイドプレートを前記ソケット本体に係止することにより、このガイドプレートが前記電気部品の一部を上から押さえた状態を保持する第１保持機構が設けられ、
前記電気部品保持部材を前記ガイドプレートまたは前記ソケット本体に係止することにより、このガイドプレートが前記電気部品の一部を上から押さえるとともに、この電気部品保持部材が当該電気部品の残部をこのガイドプレートの上面側に折り曲げた状態を保持する第２保持機構が設けられていることを特徴とする電気部品用ソケット。
【請求項３】
柔軟性のあるシート状の電気部品が収容される収容部を有するソケット本体を備えた電気部品用ソケットであって、
前記ソケット本体の前記収容部に前記電気部品が収容された状態で当該電気部品の一部を上から押さえるガイドプレートと、
前記電気部品の残部を前記ガイドプレートの上面側に折り曲げた状態で保持する電気部品保持部材と、を有するとともに、
前記電気部品保持部材は、前記ソケット本体に対して水平方向に移動自在に設けられた断面略コ字状の把持部を有し、
当該把持部を一方側へ移動させることにより、前記電気部品の残部が当該把持部によって前記ガイドプレートの上面側に折り曲げられて保持されるとともに、当該把持部を他方側へ移動させることにより、前記電気部品の残部の保持状態が解除されるように構成されていることを特徴とする電気部品用ソケット。
【請求項４】
前記ソケット本体にカバー部材が開閉自在に設けられ、当該カバー部材を閉じることにより、前記電気部品の一部が前記ガイドプレートによって上から押さえられるとともに、この電気部品の残部が前記電気部品保持部材によって前記ガイドプレートの上面側に折り曲げられて保持されるように構成されていることを特徴とする請求項１乃至３のいずれかに記載の電気部品用ソケット。
【請求項５】
前記収容部は、前記ソケット本体のベース部に対して上下動自在に支持されたフローティングプレートに形成されていることを特徴とする請求項１乃至４のいずれかに記載の電気部品用ソケット。
【発明の詳細な説明】
【技術分野】
【０００１】
この発明は、例えば、柔軟性のあるシート状（テープ状、フィルム状など類似の形状を含む。以下同じ。）の電気部品を折り曲げた状態（つまり、電気部品に曲げ応力の負荷を与えた状態）で実装する製品について、その電気部品を評価する際に適用するのに好適な電気部品用ソケットに関するものである。
【背景技術】
【０００２】
従来からこの種の「電気部品用ソケット」としては、「電気部品」であるボール・グリッド・アレイ・タイプのＩＣパッケージを着脱自在に収容するＩＣソケットがある（例えば、特許文献１参照）。このＩＣソケットとしては、一般に、ソケット本体にＩＣパッケージを平らな状態で収容し、その平らな状態のまま評価するものが広く使用されている。
【０００３】
また、ＩＣパッケージには、上記のボール・グリッド・アレイ・タイプの他に、ＴＣＰ（Tape Carrier Package）と称される接触実装型のものがある。このＴＣＰは、その柔軟性を利用して、折り曲げた状態で製品に実装される場合がある。
【先行技術文献】
【特許文献】
【０００４】
【特許文献１】特開２００３−１７８８４７号公報
【発明の概要】
【発明が解決しようとする課題】
【０００５】
しかしながら、この場合、上記のＩＣソケットを用いてＴＣＰを平らな状態で評価したのでは、ＴＣＰの評価状態（平らな状態）がその実装状態（折り曲げ状態）から乖離することになり、ＴＣＰの評価が必ずしも適正なものとは言えない。そのため、ＴＣＰの実装状態に合わせて、このＴＣＰを折り曲げた状態で評価する手法が望まれていた。
【０００６】
そこで、この発明は、柔軟性のあるシート状の電気部品を折り曲げた状態で実装する場合と同様に、この電気部品を折り曲げた状態で適正に評価することが可能な電気部品用ソケットを提供することを課題としている。
【課題を解決するための手段】
【０００９】
かかる課題を達成するため、請求項１に記載の電気部品用ソケットは、柔軟性のあるシート状の電気部品が収容される収容部を有するソケット本体を備えた電気部品用ソケットであって、前記ソケット本体の前記収容部に前記電気部品が収容された状態で当該電気部品の一部を上から押さえるガイドプレートと、前記電気部品の残部を前記ガイドプレートの上面側に折り曲げた状態で保持する電気部品保持部材、とを有するとともに、前記電気部品保持部材は、前記ソケット本体に対して回転自在に設けられたプッシャーを有し、当該プッシャーを一方側へ回転させることにより、このプッシャーの上側に前記収容部がほぼ平面状に形成されるとともに、当該プッシャーを他方側へ回転させることにより、前記電気部品の残部が当該プッシャーによって前記ガイドプレートの上面側に折り曲げられて保持されるように構成されていることを特徴とする。
【００１０】
また、請求項２に記載の電気部品用ソケットは、柔軟性のあるシート状の電気部品が収容される収容部を有するソケット本体を備えた電気部品用ソケットであって、前記ソケット本体の前記収容部に前記電気部品が収容された状態で当該電気部品の一部を上から押さえるガイドプレートと、前記電気部品の残部を前記ガイドプレートの上面側に折り曲げた状態で保持する電気部品保持部材、とを有するとともに、前記ガイドプレートを前記ソケット本体に係止することにより、このガイドプレートが前記電気部品の一部を上から押さえた状態を保持する第１保持機構が設けられ、前記電気部品保持部材を前記ガイドプレートまたは前記ソケット本体に係止することにより、このガイドプレートが前記電気部品の一部を上から押さえるとともに、この電気部品保持部材が当該電気部品の残部をこのガイドプレートの上面側に折り曲げた状態を保持する第２保持機構が設けられていることを特徴とする。
【００１１】
また、請求項３に記載の電気部品用ソケットは、柔軟性のあるシート状の電気部品が収容される収容部を有するソケット本体を備えた電気部品用ソケットであって、前記ソケット本体の前記収容部に前記電気部品が収容された状態で当該電気部品の一部を上から押さえるガイドプレートと、前記電気部品の残部を前記ガイドプレートの上面側に折り曲げた状態で保持する電気部品保持部材、とを有するとともに、前記電気部品保持部材は、前記ソケット本体に対して水平方向に移動自在に設けられた断面略コ字状の把持部を有し、当該把持部を一方側へ移動させることにより、前記電気部品の残部が当該把持部によって前記ガイドプレートの上面側に折り曲げられて保持されるとともに、当該把持部を他方側へ移動させることにより、前記電気部品の残部の保持状態が解除されるように構成されていることを特徴とする。
【００１２】
また、請求項４に記載の発明は、請求項１乃至３のいずれかに記載の構成に加え、前記ソケット本体にカバー部材が開閉自在に設けられ、当該カバー部材を閉じることにより、前記電気部品の一部が前記ガイドプレートによって上から押さえられるとともに、この電気部品の残部が前記電気部品保持部材によって前記ガイドプレートの上面側に折り曲げられて保持されるように構成されていることを特徴とする。
また、請求項５に記載の発明は、請求項１乃至４のいずれかに記載の構成に加え、前記収容部は、前記ソケット本体のベース部に対して上下動自在に支持されたフローティングプレートに形成されていることを特徴とする。
【発明の効果】
【００１３】
請求項１乃至３に記載の発明によれば、ガイドプレートにより、ソケット本体の収容部に電気部品が収容された状態でこの電気部品の一部を上から押さえるとともに、電気部品保持部材により、電気部品の残部をガイドプレートの上面側に折り曲げた状態で保持することができる。そのため、柔軟性のあるシート状の電気部品を折り曲げた状態で実装する場合と同様に、この電気部品を折り曲げた状態で適正に評価することが可能となる。
【００１５】
また請求項１に記載の発明によれば、電気部品保持部材のプッシャーを一方側へ回転させることにより、プッシャーの上側に収容部をほぼ平面状に形成することができるとともに、プッシャーを他方側へ回転させることにより、電気部品の残部をプッシャーによってガイドプレートの上面側に折り曲げて保持することができる。したがって、上述した電気部品の折り曲げ状態での評価に加えて、電気部品を折り曲げない状態（平らな状態）でも評価することができるので、電気部品用ソケットの汎用性を高めることが可能となる。
【００１６】
また請求項２に記載の発明によれば、第１保持機構により、ガイドプレートをソケット本体に係止して電気部品の一部を上から押さえた状態を保持することができるとともに、第２保持機構により、電気部品保持部材をガイドプレートまたはソケット本体に係止して電気部品の一部を上から押さえるとともに、この電気部品保持部材が電気部品の残部をこのガイドプレートの上面側に折り曲げた状態を保持することができる。そのため、柔軟性のあるシート状の電気部品を折り曲げたときの反力が大きくても、この電気部品の残部を押さえ付けることが可能となる。これに加えて、電気部品の折り曲げ状態を容易に維持することができるので、電気部品用ソケットの操作性を良好なものとすることが可能となる。これらの結果、上述した電気部品の折り曲げ状態での評価を確実かつ迅速に実施することができ、電気部品用ソケットの信頼性を高めることが可能となる。
【００１７】
また請求項３に記載の発明によれば、電気部品保持部材の断面略コ字状の把持部を一方側へ移動させることにより、電気部品の残部をガイドプレートの上面側に折り曲げられて保持することができるとともに、把持部を他方側へ移動させることにより、電気部品の残部の保持状態を解除することができる。そのため、上述した電気部品の折り曲げ状態での評価を容易に実施することが可能となる。
【００１８】
請求項４に記載の発明によれば、カバー部材により、電気部品の一部がガイドプレートによって上から押さえられるとともに、この電気部品の残部が電気部品保持部材によってガイドプレートの上面側に折り曲げられて保持された状態を維持することができる。そのため、上述した電気部品の折り曲げ状態での評価を容易に実施することが可能となる。
請求項５に記載の発明によれば、ソケット本体のベース部に対して上下動自在に支持されたフローティングプレートに収容部が形成されているので、収容部に収容された電気部品の上下動を円滑に実施することができ、ひいては、ソケット本体に設けられたコンタクトピンに対して電気部品を良好に接触させることが可能となる。
【図面の簡単な説明】
【００１９】
【図１】この発明の実施の形態１に係る電気部品用ソケットの斜視図であって、（ａ）はカバー部材を閉じた状態を示し、（ｂ）はカバー部材を開いた状態を示す。
【図２】同実施の形態１に係る電気部品用ソケットにおいて、そのカバー部材を閉じた状態を示す図であって、（ａ）はその平面図、（ｂ）はその側面図である。
【図３】同実施の形態１に係る電気部品用ソケットにおいて、そのカバー部材を開いた状態を示す図であって、（ａ）はその平面図、（ｂ）はその側面図である。
【図４】同実施の形態１に係る電気部品用ソケットの断面図であって、（ａ）は図２のＡ−Ａ線による断面図、（ｂ）は図２のＢ−Ｂ線による断面図、（ｃ）は（ａ）の要部を示す断面図、（ｄ）は（ａ）からＴＣＰのみを取り出した断面図である。
【図５】同実施の形態１に係る電気部品用ソケットの取り扱い手順において、ＴＣＰを収容する工程を示す斜視図である。
【図６】同実施の形態１に係る電気部品用ソケットの取り扱い手順において、ＴＣＰの一部を押さえる工程を示す斜視図である。
【図７】同工程を模式的に示す側面図である。
【図８】同実施の形態１に係る電気部品用ソケットの取り扱い手順において、プッシャーを起立させる工程を示す斜視図である。
【図９】同工程を模式的に示す側面図である。
【図１０】同実施の形態１に係る電気部品用ソケットの取り扱い手順において、プッシャーをガイドプレート側へ倒す工程を示す斜視図である。
【図１１】同工程を模式的に示す側面図である。
【図１２】この発明の実施の形態２に係る電気部品用ソケットの斜視図であって、（ａ）は電気部品保持部材がＴＣＰを折り曲げて保持する前の状態を示し、（ｂ）は電気部品保持部材がＴＣＰを折り曲げて保持した後の状態を示す。
【図１３】図１２に示す電気部品用ソケットの電気部品保持部材の拡大斜視図である。
【図１４】同実施の形態２に係る電気部品用ソケットの取り扱い手順において、ＴＣＰを電気部品保持部材の把持部で把持する直前の工程を模式的に示す側面図である。
【図１５】同実施の形態２に係る電気部品用ソケットの取り扱い手順において、ＴＣＰを電気部品保持部材の把持部で把持する工程を模式的に示す側面図である。
【発明を実施するための形態】
【００２０】
以下、この発明の実施の形態について説明する。
【００２１】
［発明の実施の形態１］
図１乃至図１１には、この発明の実施の形態１を示す。
【００２２】
まず、構成を説明すると、図１中符号１１は、「電気部品用ソケット」としてのＩＣソケットで、このＩＣソケット１１は、配線基板Ｐ（図２（ｂ）参照）上に配設されるようになっており、柔軟性のあるシート状の「電気部品」であるＴＣＰ１２（図４（ｄ）参照）等のバーンイン試験等を行うために、このＴＣＰ１２のパッド１２ｄ（図４（ａ）参照）とその配線基板Ｐの電極（図示せず）との電気的な接続を図るものである。
【００２３】
このＴＣＰ１２は、図４に示すように、配線パターンが形成された可撓性のテープ１２ａを有しており、テープ１２ａの上面には、ＩＣチップ１２ｂが搭載されてＴＡＢ（Tape Automated Bonding）技術で配線パターンに接続されている。また、テープ１２ａの下面には、複数のパッド１２ｄが配線パターンに接続されて取り付けられている。さらに、テープ１２ａの左右両端には、図５に示すように、複数の位置決め孔１２ｃが所定の間隔で一列に並んで形成されている。
【００２４】
また、ＩＣソケット１１は、図１乃至図４に示すように、ソケット本体１３を備えており、ソケット本体１３は略長方形板状のベース部１６を有している。ベース部１６には、図４（ａ）に示すように、複数のコンタクトピン１４が配設されている。各コンタクトピン１４はそれぞれ、ベース部１６に上方から挿嵌されて固定されるリード部１４ａと、このリード部１４ａから略Ｓ字状に延伸した弾性変形可能な弾性部１４ｂと、この弾性部１４ｂの先端に上向きに突設された接触部１４ｃとから構成されている。そして、配線基板Ｐ上にＩＣソケット１１が配設され、コンタクトピン１４のリード部１４ａが配線基板Ｐの孔（図示せず）に挿通されてはんだ付けされ、このＩＣソケット１１にＴＣＰ１２が収容された状態では、コンタクトピン１４のリード部１４ａが配線基板Ｐの電極に接触するとともに、コンタクトピン１４の接触部１４ｃがＴＣＰ１２のパッド１２ｄに接触することにより、ＴＣＰ１２のパッド１２ｄと配線基板Ｐの電極とがコンタクトピン１４を介して導通するように構成されている。
【００２５】
また、ソケット本体１３のベース部１６には、図１に示すように、フローティングプレート１７が所定の上下ストロークだけ上下動自在に支持されており、このフローティングプレート１７は、図示省略のコイルスプリングにより、常に上向きに付勢された状態になっている。さらに、フローティングプレート１７には、ＴＣＰ１２を収容する収容部１５が形成されているとともに、左右二対の円錐状の位置決めピン１８が上向きに突設されている。
【００２６】
また、ソケット本体１３には、図１、図３に示すように、収容部１５にＴＣＰ１２が収容された状態でＴＣＰ１２の一部を上から押さえる略平板状のガイドプレート１９が、矢印Ｍ１、Ｎ１方向に回転自在に、かつ所定の距離だけ上下動自在に支持されている。
【００２７】
すなわち、ソケット本体１３のベース部１６の後部には、図１（ｂ）、図３（ａ）に示すように、左右一対の略円筒状のボス部２０が一体に形成されており、これらのボス部２０には円柱状のシャフト２１が水平方向に挿通されて取り付けられている。一方、ガイドプレート１９は、図１、図４に示すように、略長方形平板状のプレート本体２３を有している。プレート本体２３の一端部には、図１、図３、図４（ｂ）に示すように、左右一対の連結部２５が一体に形成されており、各連結部２５にはそれぞれ長孔２２が、プレート本体２３に直角な方向に長く延伸するように形成されている。そして、ガイドプレート１９は、２つの連結部２５の長孔２２がソケット本体１３のシャフト２１に係合することにより、このシャフト２１を中心として矢印Ｍ１、Ｎ１方向に回転自在に、かつ、フローティングプレート１７の上下ストロークに対応する距離だけ上下動自在になっている。
【００２８】
さらに、ガイドプレート１９のプレート本体２３の他端部には、図１（ｂ）、図３（ｂ）、図４（ａ）、（ｃ）に示すように、半円柱状のパッケージ押当て部２７が形成されている。また、このプレート本体２３には、左右二対の円形のピン逃げ孔２９が貫通して形成されている。
【００２９】
また、ソケット本体１３には、図１（ｂ）、図３に示すように、ＴＣＰ１２の残部（ガイドプレート１９で押さえられない部分）をガイドプレート１９の上面側に折り曲げた状態で保持する電気部品保持部材３０が設けられており、電気部品保持部材３０は、ソケット本体１３のベース部１６に対して矢印Ｍ２、Ｎ２方向に約１８０°回転自在に、かつ所定の距離だけ上下動自在に支持されたプッシャー３９を有している。
【００３０】
すなわち、ソケット本体１３のベース部１６には、図１（ｂ）、図４（ｂ）に示すように、左右一対のブロック４０が取り付けられて、ねじ３１で固定されており、各ブロック４０にはそれぞれ長孔３２が上下方向に長く延伸するように形成されている。一方、プッシャー３９は、略長方形平板状のプッシャー本体３３を有している。プッシャー本体３３には、一端部近傍に左右一対の係合ピン３５が横向きに突設されているとともに、他端部近傍に左右一対の円錐状の位置決めピン３６が、プッシャー本体３３に直角な方向に突設されている。そして、プッシャー３９は、その各係合ピン３５が各ブロック４０の長孔３２に係合することにより、係合ピン３５を中心として矢印Ｍ２、Ｎ２方向に約１８０°回転自在に、かつ、フローティングプレート１７の上下ストロークに対応する距離だけ上下動自在になっている。
【００３１】
ここで、電気部品保持部材３０は、図１（ｂ）に示すように、プッシャー３９を一方側（矢印Ｎ２方向）へ回転させることにより、このプッシャー３９の上側に収容部１５がほぼ平面状に形成されるとともに、図１０に示すように、プッシャー３９を他方側（矢印Ｍ２方向）へ回転させることにより、ＴＣＰ１２の残部がプッシャー３９によってガイドプレート１９の上面側に折り曲げられて保持されるように構成されている。
【００３２】
なお、プッシャー３９の各係合ピン３５とソケット本体１３のベース部１６との間には、図４（ｂ）に示すように、それぞれコイルスプリング３７が上下方向に伸縮自在に介在しており、これらのコイルスプリング３７により、プッシャー３９の一端部は常に上向きに付勢された状態になっている。
【００３３】
さらに、ＩＣソケット１１には、図６に示すように、ガイドプレート１９をソケット本体１３に係止することにより、ガイドプレート１９がＴＣＰ１２の一部を上から押さえた状態を保持する第１保持機構４１が組み込まれており、この第１保持機構４１は、ガイドプレート１９の左右一対の第１係止爪４３と、フローティングプレート１７の左右一対の係止片４５とから構成されている。すなわち、ガイドプレート１９のプレート本体２３の他端部近傍には、図１（ｂ）、図３に示すように、左右一対の第１係止爪４３がプレート本体２３に直角な方向に突設されている。一方、フローティングプレート１７には左右一対の係止片４５が形成されている。そして、図６に示すように、ガイドプレート１９が矢印Ｎ１方向に回転して各第１係止爪４３がフローティングプレート１７の係止片４５に引っ掛かって係止されることにより、ガイドプレート１９がＴＣＰ１２の一部を上から押さえた状態が保持されることになる。
【００３４】
また、ＩＣソケット１１には、図１０に示すように、電気部品保持部材３０をガイドプレート１９に係止することにより、ガイドプレート１９がＴＣＰ１２の一部を上から押さえるとともに、電気部品保持部材３０がＴＣＰ１２の残部をガイドプレート１９の上面側に折り曲げた状態を保持する第２保持機構４２が組み込まれている。この第２保持機構４２は、電気部品保持部材３０の左右一対の係止片４６と、ガイドプレート１９の左右一対の第２係止爪４７とから構成されている。すなわち、電気部品保持部材３０のプッシャー本体３３の他端部近傍には、図１（ｂ）、図３に示すように、左右一対の係止片４６が形成されている。一方、ガイドプレート１９のプレート本体２３のほぼ中央部には、図１（ｂ）、図６に示すように、左右一対の第２係止爪４７がプレート本体２３に直角な方向に突設されている。そして、上述した第１保持機構４１により、ガイドプレート１９がＴＣＰ１２の一部を上から押さえて保持した状態で、図１０に示すように、電気部品保持部材３０が矢印Ｍ２方向に回転して各係止片４６がガイドプレート１９の各第２係止爪４７に引っ掛かって係止されることにより、ガイドプレート１９がＴＣＰ１２の一部を上から押さえるとともに、電気部品保持部材３０がＴＣＰ１２の残部をガイドプレート１９の上面側に折り曲げた状態が保持されることになる。
【００３５】
さらに、ソケット本体１３には、図１に示すように、ガイドプレート１９をその後方から覆う形で、カバー部材５０がシャフト２１を中心として矢印Ｍ３、Ｎ３方向に回転する形で開閉自在に支持されている。このカバー部材５０は、略長方形平板状のカバー部材本体５１を有している。カバー部材本体５１の一端部には、図８に示すように、左右一対の連結部５２が一体に形成されており、各連結部５２にはそれぞれ丸孔５３が水平方向に形成されている。そして、カバー部材５０は、２つの連結部５２の丸孔５３がシャフト２１に係合することにより、このシャフト２１を中心として矢印Ｍ３、Ｎ３方向に回転自在になっている。なお、シャフト２１の中央部には、ダブルトーションスプリング（ねじりコイルばね）５４が装着されており、このダブルトーションスプリング５４により、カバー部材５０は常に矢印Ｍ３方向に弾性的に付勢された状態になっている。
【００３６】
ここで、カバー部材５０が矢印Ｎ３方向に回転して閉じると、ＴＣＰ１２の一部がガイドプレート１９によって上から押さえられるとともに、このＴＣＰ１２の残部が電気部品保持部材３０のプッシャー３９によってガイドプレート１９の上面側に折り曲げられて保持された状態を維持するように構成されている。
【００３７】
また、カバー部材本体５１の他端部には、図１、図４（ａ）に示すように、左右一対のシャフト支持片５９が一体に形成されており、これらのシャフト支持片５９には円柱状のシャフト５６が水平方向に挿通されて取り付けられている。シャフト５６にはラッチ５５が、シャフト５６を中心として矢印Ｍ４、Ｎ４方向に回転自在に取り付けられており、このラッチ５５は、図示省略のスプリングにより、常に矢印Ｎ４方向に付勢された状態になっている。一方、ソケット本体１３のベース部１６の前部には係止片５７が形成されている。そして、ダブルトーションスプリング５４の付勢力に抗してカバー部材５０を矢印Ｎ３方向に回転させて閉じ、図４（ａ）に示すように、ラッチ５５の係止爪５５ａをベース部１６の係止片５７に係止すれば、カバー部材５０を閉じた状態で固定することができるとともに、この状態で、ラッチ５５の押圧部５５ｂを下向きに押して係止爪５５ａと係止片５７との係止状態を解除すれば、ダブルトーションスプリング５４の付勢力により、カバー部材５０を矢印Ｍ３方向に回転させて開けることができるように構成されている。
【００３８】
次に、かかるＩＣソケット１１の取り扱い方法について、ＴＣＰ１２を折り曲げた状態で評価する場合と折り曲げない状態（平らな状態）で評価する場合に分けて、図５〜図１１を用いて順次説明する。
【００３９】
まず、ＴＣＰ１２を折り曲げた状態で評価する場合には、図２（ｂ）に示すように、配線基板Ｐ上にＩＣソケット１１が配設された状態で、カバー部材５０を開くとともに、ガイドプレート１９を矢印Ｍ１方向に回転させて開く。すると、図１（ｂ）に示すように、収容部１５が解放された状態になる。
【００４０】
この状態で、図５に示すように、この収容部１５にＴＣＰ１２を収容し、このＴＣＰ１２の位置決め孔１２ｃを位置決めピン１８、３６に嵌合させる。
【００４１】
次いで、図６、図７に示すように、ガイドプレート１９を矢印Ｎ１方向に回転させてＴＣＰ１２側へ倒す。すると、このガイドプレート１９がＴＣＰ１２の一部を上から押さえた状態になる。
【００４２】
このとき、ＩＣソケット１１には、上述したとおり、所定の第１保持機構４１が設けられているので、この第１保持機構４１により、ガイドプレート１９がＴＣＰ１２の一部を上から押さえた状態を保持することができる。
【００４３】
この状態で、図８、図９に示すように、電気部品保持部材３０のプッシャー３９を矢印Ｍ２方向に９０°回転させて起立させた後、さらに、図１０、図１１に示すように、同方向に９０°回転させてガイドプレート１９側へ倒す。すると、ＴＣＰ１２は、図４（ａ）、（ｃ）、（ｄ）に示すように、１８０°折り曲げられた状態になる。
【００４４】
このとき、ＩＣソケット１１には、上述したとおり、所定の第２保持機構４２が設けられているので、この第２保持機構４２により、ガイドプレート１９がＴＣＰ１２の一部を上から押さえるとともに、電気部品保持部材３０がＴＣＰ１２の残部をガイドプレート１９の上面側に折り曲げた状態を保持することができる。
【００４５】
この状態で、図１（ａ）、図２に示すように、カバー部材５０を矢印Ｎ３方向に回転させて閉じ、ラッチ５５の係止爪５５ａをベース部１６の係止片５７に係止することにより、カバー部材５０を閉じた状態で固定する。すると、カバー部材５０のカバー部材本体５１がＴＣＰ１２、ガイドプレート１９および電気部品保持部材３０を下向きに押すため、これらのＴＣＰ１２、ガイドプレート１９および電気部品保持部材３０がフローティングプレート１７とともに下降する。その結果、ＴＣＰ１２のパッド１２ｄは、ＩＣソケット１１のコンタクトピン１４に所定の接圧で接触し、このコンタクトピン１４を介して配線基板Ｐの電極に接触して電気的に接続された状態になる。
【００４６】
なお、ガイドプレート１９の各連結部２５の長孔２２は、上述したとおり、プレート本体２３に直角な方向（今の状態では、上下方向）に長く延伸するように形成されているので、ガイドプレート１９の下降動作は円滑に行われる。また、電気部品保持部材３０のプッシャー３９の各係合ピン３５が係合する各ブロック４０の長孔３２は、それぞれ上下方向に長く延伸するように形成されているので、電気部品保持部材３０の下降動作は円滑に行われる。これらの結果、ＴＣＰ１２およびフローティングプレート１７の下降動作も円滑に行われる。
【００４７】
この状態で、ＴＣＰ１２に電流を流してバーンイン試験等を行うことにより、ＴＣＰ１２を折り曲げた状態で評価することができる。
【００４８】
このように、この実施の形態１では、ガイドプレート１９により、収容部１５にＴＣＰ１２が収容された状態でＴＣＰ１２の一部を上から押さえるとともに、電気部品保持部材３０により、ＴＣＰ１２の残部をガイドプレート１９の上面側に折り曲げた状態で保持することができる。そのため、柔軟性のあるシート状のＴＣＰ１２を折り曲げた状態で実装する場合と同様に、このＴＣＰ１２を折り曲げた状態で適正に評価することが可能となる。
【００４９】
しかも、この評価を実施する際には、カバー部材５０を閉じることにより、ＴＣＰ１２の一部がガイドプレート１９によって上から押さえられるとともに、このＴＣＰ１２の残部が電気部品保持部材３０によってガイドプレート１９の上面側に折り曲げられて保持された状態で、このＴＣＰ１２を押し下げることができる。そのため、このＴＣＰ１２の折り曲げ状態での評価を容易に実施することが可能となる。
【００５０】
また、第１保持機構４１により、ガイドプレート１９をソケット本体１３に係止してＴＣＰ１２の一部を上から押さえた状態を保持することができるとともに、第２保持機構４２により、電気部品保持部材３０をガイドプレート１９に係止してＴＣＰ１２の一部を上から押さえるとともに、電気部品保持部材３０がＴＣＰ１２の残部をガイドプレート１９の上面側に折り曲げた状態を保持することができる。そのため、柔軟性のあるシート状のＴＣＰ１２を折り曲げたときの反力が大きくても、このＴＣＰ１２の残部を押さえ付けることが可能となる。これに加えて、ＴＣＰ１２の折り曲げ状態を容易に維持することができるので、ＩＣソケット１１の操作性を良好なものとすることが可能となる。これらの結果、このＴＣＰ１２の折り曲げ状態での評価を確実かつ迅速に実施することができ、ＩＣソケット１１の信頼性を高めることが可能となる。
【００５１】
さらに、ソケット本体１３のベース部１６に対して上下動自在に支持されたフローティングプレート１７に収容部１５が形成されているので、この収容部１５に収容されたＴＣＰ１２の上下動を円滑に実施することができる。その結果、ソケット本体１３に設けられたコンタクトピン１４に対して、ＴＣＰ１２を良好に接触させることが可能となる。
【００５２】
一方、ＴＣＰ１２を折り曲げない状態（平らな状態）で評価する場合には、上述した手順と同様に、ＴＣＰ１２を収容部１５に収容し、ガイドプレート１９でＴＣＰ１２の一部を上から押さえた後、電気部品保持部材３０のプッシャー３９を回転させることなく、カバー部材５０を閉じる。すると、ＴＣＰ１２が平らな状態で押し下げられる。その結果、ＴＣＰ１２を平らな状態で評価することが可能となる。
【００５３】
このように、この実施の形態１では、電気部品保持部材３０のプッシャー３９を一方側へ回転させることにより、プッシャー３９の上側に収容部１５がほぼ平面状に形成されるとともに、プッシャー３９を他方側へ回転させることにより、ＴＣＰ１２の残部をプッシャー３９によってガイドプレート１９の上面側に折り曲げて保持することができる。したがって、ＴＣＰ１２の折り曲げ状態での評価に加えて、ＴＣＰ１２を折り曲げない状態（平らな状態）でも評価することができるので、ＩＣソケット１１の汎用性を高めることが可能となる。
【００５４】
［発明の実施の形態２］
図１２乃至図１５には、この発明の実施の形態２を示す。
【００５５】
この実施の形態２に係るＩＣソケット１１では、ソケット本体１３に対して回転自在に設けられたプッシャー３９を有する電気部品保持部材３０に代えて、図１２に示すように、ソケット本体１３に対して水平方向に移動自在に設けられた断面略コ字状の把持部６１を有する電気部品保持部材６０を備えている。すなわち、この電気部品保持部材６０は、図１３に示すように、略長方形平板状の保持部材本体６２を有しており、保持部材本体６２の一端には断面略コ字状の把持部６１が一体に形成されている。そして、この電気部品保持部材６０が一方側（ガイドプレート１９に近づく向き）へ移動すると、図１４、図１５に示すように、ＴＣＰ１２の残部（ガイドプレート１９で押さえられない部分）が把持部６１によってガイドプレート１９の上面側に折り曲げられて保持されるとともに、電気部品保持部材６０が他方側（ガイドプレート１９から遠ざかる向き）へ移動すると、ＴＣＰ１２の残部の保持状態が解除されるように構成されている。
【００５６】
その他の構成については、上述した実施の形態１と基本的に同様であるので、同一の部材については、同一の符号を付してその説明を省略する。
【００５７】
したがって、この実施の形態２では、上述した実施の形態１と同じ作用効果を奏する。
【００５８】
なお、上記実施の形態１、２では、「電気部品用ソケット」としてのＩＣソケット１１にこの発明を適用したが、これに限らず、他の装置にも適用できることは勿論である。
【００５９】
また、上記実施の形態１、２では、カバー部材５０を備えたＩＣソケット１１について説明したが、カバー部材を備えていないＩＣソケットにも、この発明を同様に適用することができる。
【００６０】
また、上記実施の形態１、２では、「電気部品」としてのＴＣＰ１２にこの発明を適用したが、柔軟性のあるシート状のものである限り、ＴＣＰ１２以外の電気部品にも、この発明を同様に適用することができる。
【００６１】
また、上記実施の形態１、２では、電気部品保持部材３０をガイドプレート１９に係止する構造の第２保持機構４２を備えたＩＣソケット１１について説明したが、電気部品保持部材３０をソケット本体１３に係止する構造の第２保持機構を代用することも可能である。
【００６２】
また、上記実施の形態１、２では、柔軟性のあるシート状のＴＣＰ１２を折り曲げたときの反力が大きくても、このＴＣＰ１２の残部を押さえ付けることができるように、ＩＣソケット１１に第１保持機構４１および第２保持機構４２を設けたものについて説明したが、このＴＣＰ１２の反力が小さい場合には、これらの４１、第２保持機構４２を省いても構わない。
【００６３】
さらに、上記実施の形態１、２では、ＴＣＰ１２を収容する収容部１５がフローティングプレート１７に形成されたＩＣソケット１１について説明したが、この収容部１５は必ずしもフローティングプレート１７に設ける必要はなく、フローティングプレートを備えていないＩＣソケットにも、この発明を同様に適用することができる。
【符号の説明】
【００６４】
１１……ＩＣソケット（電気部品用ソケット）
１２……ＴＣＰ（電気部品）
１３……ソケット本体
１５……収容部
１６……ベース部
１７……フローティングプレート
１９……ガイドプレート
３０……電気部品保持部材
３９……プッシャー
４１……第１保持機構
４２……第２保持機構
５０……カバー部材
６０……電気部品保持部材
６１……把持部
【図１】
0006546773.tif 000002
【図２】
0006546773.tif 000003
【図３】
0006546773.tif 000004
【図４】
0006546773.tif 000005
【図５】
0006546773.tif 000006
【図６】
0006546773.tif 000007
【図７】
0006546773.tif 000008
【図８】
0006546773.tif 000009
【図９】
0006546773.tif 000010
【図１０】
0006546773.tif 000011
【図１１】
0006546773.tif 000012
【図１２】
0006546773.tif 000013
【図１３】
0006546773.tif 000014
【図１４】
0006546773.tif 000015
【図１５】
0006546773.tif 000016